(57)【要約】【課題】簡易な構成でリモコンの赤外線が画像信号に悪影響を与えないようにする。【解決手段】フィルタ２６は、固体撮像素子１０２ａの有効画素領域Ｒ１には赤外線Ｉｒ１が入射しないよう遮光し、かつ固体撮像素子１０２ａの赤外線受光領域Ｒ２に入射する赤外線Ｉｒ２は遮光せず、赤外線Ｉｒ２はそのまま赤外線受光領域Ｒ２に入射する。赤外線受光領域Ｒ２には赤外線が入射するから、リモコン６０からの赤外線信号を赤外線受光領域Ｒ２で検出し、ＣＰＵ１１２に出力できる。一方、有効画素領域Ｒ１には赤外線Ｉｒ１が入射しないため、リモコン６０からの赤外線信号が画像信号の生成に悪影響を及ぼすことがない。【選択図】  図３
2006238193.tif 000002
【特許請求の範囲】
【請求項１】
撮像レンズと、前記撮像レンズを介して入射する被写体像を表す光を信号電荷に変換する固体撮像素子と、前記固体撮像素子から前記信号電荷に応じた画像信号を読み出す撮像回路と、前記画像信号をデジタル画像データに変換する画像処理回路とを備える撮像装置において、
前記撮像レンズを介して入射する赤外線を受光する赤外線受光部と、
前記赤外線受光部が赤外線を受光したことに応じて撮像装置の動作制御を行う制御部と、
少なくとも前記固体撮像素子の有効画素領域へ入射する赤外線を遮蔽するフィルタと、
を備え、
前記フィルタは前記赤外線受光部へ入射する赤外線の非遮蔽位置に配置されている撮像装置。
【請求項２】
前記赤外線受光部は前記固体撮像素子の有効画素領域の非干渉位置に配置されている請求項１に記載の撮像装置。
【請求項３】
前記赤外線受光部は前記固体撮像素子の有効画素領域外に配列されたフォトセンサである請求項１又は２に記載の撮像装置。
【請求項４】
前記フィルタの側端部にはテーパ状に形成された反射端が設けられ、
前記反射端の表面は前記赤外線受光部と対向するように配置されている請求項１〜３のいずれかに記載の撮像装置。
【請求項５】
前記反射端の表面には前記赤外線を前記赤外線受光部に向かって反射する反射部材が貼付されている請求項４に記載の撮像装置。
【請求項６】
前記赤外線受光部は前記撮像レンズを介して入射する光の結像する円領域内に配置される請求項１〜５のいずれかに記載の撮像装置。
【発明の詳細な説明】
【技術分野】
【０００１】
本発明は撮像装置に係り、特にリモコンによる遠隔操作が可能な撮像装置に関する。
【背景技術】
【０００２】
従来、リモコンからの赤外線検知が可能な素子を搭載した撮像装置において、リモコンの赤外線が画像信号に悪影響を与えないようにする技術が開発されている。例えば特許文献１のスチルビデオカメラでは、リモコン装置からの赤外線信号は、被写体の撮像用に用いられるＣＣＤの受光部に照射される。リモコン操作時、赤外線遮断用光学フィルタがレンズとＣＣＤ間の光路から外され、ＣＣＤは赤外線信号を検出可能となる。この状態で、ＣＣＤの出力信号が検出レベルを越えた回数が、出力レベル検出回路によって検出され、ＭＰＵに入力される。ＭＰＵでは、１フィールド毎に、出力レベル検出回路から出力される数がチェックされ、この数の変化に応じてリモコン装置からの指令信号の内容が認識される。
【特許文献１】特開平６−２２１９４号公報
【発明の開示】
【発明が解決しようとする課題】
【０００３】
特許文献１の技術では、リモコン操作時に赤外線遮断用フィルタをレンズとＣＣＤ間の光路に出し入れする機構を設ける必要があり、撮像装置の構造の複雑化やコストアップにつながる。本発明はこのような問題点に鑑みてなされたもので、簡易な構成でリモコンの赤外線が画像信号に悪影響を与えないようにすることを目的とする。
【課題を解決するための手段】
【０００４】
上述の課題を解決するため、本発明に係る撮像装置は、撮像レンズと、撮像レンズを介して入射する被写体像を表す光を信号電荷に変換する固体撮像素子と、固体撮像素子から信号電荷に応じた画像信号を読み出す撮像回路と、画像信号をデジタル画像データに変換する画像処理回路とを備える撮像装置であって、撮像レンズを介して入射する赤外線を受光する赤外線受光部と、赤外線受光部が赤外線を受光したことに応じて撮像装置の動作制御を行う制御部と、少なくとも固体撮像素子の有効画素領域へ入射する赤外線を遮蔽するフィルタと、を備え、フィルタは赤外線受光部へ入射する赤外線の非遮蔽位置に配置されている。
【０００５】
この発明によると、フィルタを駆動する機構を設けることなく、簡易な構成で、有効画素領域に赤外線が入射しないようにし、かつ赤外線受光部に赤外線が入射する光路を確保でき、リモコンからの赤外線信号が画像信号の生成に悪影響を及ぼすことなくリモコンによる遠隔制御を実現できる。
【０００６】
赤外線受光部は固体撮像素子の有効画素領域の非干渉位置に配置されていることが好ましい。
【０００７】
赤外線受光部は固体撮像素子の有効画素領域外に配列されたフォトセンサとすることもできる。
【０００８】
フィルタの側端部にはテーパ状に形成された反射端が設けられ、反射端の表面は赤外線受光部と対向するように配置されていることが好ましい。
【０００９】
こうすれば、赤外線受光部へ赤外線が直接入射しないことがあっても、反射端に入射した赤外線を赤外線受光部へ反射し、リモコンの遠隔操作をより確実にできる。
【００１０】
反射端の表面には赤外線を赤外線受光部に向かって反射する反射部材が貼付されていることが好ましい。
【００１１】
赤外線受光部は撮像レンズを介して入射する光の結像する円領域内に配置されることが好ましい。
【００１２】
撮像レンズをテレ方向に駆動（ズーム）すれば、遠方のリモコンから出力された赤外線も撮像レンズの結像円領域（イメージサークル）内に結像できるため、リモコンの操作可能範囲が広がる。
【発明の効果】
【００１３】
この発明によると、フィルタを駆動する機構を設けることなく、簡易な構成で、有効画素領域に赤外線が入射しないようにし、かつ赤外線受光部に赤外線が入射する光路を確保でき、リモコンからの赤外線信号が画像信号の生成に悪影響を及ぼすことなくリモコンによる遠隔制御を実現できる。
【発明を実施するための最良の形態】
【００１４】
以下、添付した図面を参照し本発明の好ましい実施の形態を説明する。
【００１５】
＜第１実施形態＞
図１は本発明の好ましい第１の実施形態に係るデジタルカメラ１０の機能ブロック図である。まず、同図のデジタルカメラ１０において、中央処理装置（ＣＰＵ）１１２は、レリーズスイッチ２２、モードダイヤル１５０等を含む操作部１１３の各種のボタンやキーからの入力に基づいてデジタルカメラ１０内の各回路を統括制御する。ＣＰＵ１１２の実行するプログラムはフラッシュＲＯＭ１１９に記憶される。
【００１６】
いま、モードダイヤル１５０によって静止画撮影モードが設定されると、ＣＰＵ１１２は、動画（スルー画）を表示部１１０に表示させ、撮影画角を確認可能にする。即ち、撮像レンズ１４を通過した光は、固体撮像素子１０２ａに入射する。固体撮像素子１０２ａの受光面には、フォトセンサが平面的に配列されており、該受光面上の有効画素領域に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、それぞれ撮像回路１０２ｂに加えられる。
【００１７】
撮像回路１０２ｂは、ゲイン調整回路を含み、得られた画像データは、それぞれ画像処理回路１０８及びハイパスフィルタ（ＨＰＦ）１２５へ送られる。画像処理回路１０８は、Ａ／Ｄ変換部１０８ａ、ホワイトバランス補正回路１０８ｂ、ガンマ補正回路１０８ｃ、ＹＣ処理回路１０８ｄ、輝度・色差信号生成回路、シャープネス補正回路、コントラスト補正回路、撮影画像に対する輪郭補正を含む画像処理を行う輪郭処理部、画像のノイズ低減処理を行うノイズ低減処理部等を含む画像処理手段であり、ＣＰＵ１１２からのコマンドに従って画像信号を処理する。
【００１８】
画像処理回路１０８に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００１９】
一方、画像処理回路１０８のＡ／Ｄ変換部１０８ａでデジタル信号に変換された画像データは、ハイパスフィルタ（ＨＰＦ）１２５でＧ画素成分のみ抽出される。そして、積算処理部１２６で抽出されたＧ画素成分に積算処理が施されてＣＰＵ１１２に送られる。ＣＰＵ１１２は、積算処理部１２６から送られた１画面分の６４分割の画像データの内、十字キー８１で任意に設定された被写体中心付近の４エリアの平均値を算出し、これをオートフォーカス（ＡＦ）評価値とする。ＡＦ評価値は、所定周期の経過毎に算出され、算出の度にメモリ１２７に更新記憶される。ＣＰＵ１１２は、ＡＦ評価値に従って被写体の合焦を判定する。その判断方法は任意であるが、例えばＡＦ評価値が極大点の近傍に略到達しているか否かを判断し、極大点に略達している場合は合焦していると判断し、その他の場合は合焦していないと判断する。あるいは、ＡＦ評価値が所定の閾値を超えていれば合焦していると判断することもできる。
【００２０】
撮影画像を表示部１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して表示部１１０に出力する。表示部１１０の駆動はドライバ１１１を介して行われる。
【００２１】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１１０に供給されることにより、撮像中の映像がリアルタイムに表示部１１０に表示される。ユーザは、表示部１１０に表示される映像（スルー）によって撮影画角を確認できる。
【００２２】
ここで、レリーズスイッチ２２が半押しされると、ＡＥ及びＡＦ処理が開始される。ＡＥ／ＡＦ処理が行われ、レリーズスイッチ２２が全押しされることによって記録用の撮影動作がスタートする。レリーズスイッチ２２全押しに応動して取得された画像データは画像処理回路１０８において輝度／色差信号（Ｙ／Ｃ信号）に変換され、ガンマ補正等の所定の処理が施された後、ＶＲＡＭ１３２に格納される。
【００２３】
ＶＲＡＭ１３２に格納されたＹ／Ｃ信号は、圧縮伸長処理回路１４４によって所定のフォーマットに従って圧縮された後、メディアコントローラ１４６を介して記録媒体４０にExif（Exchangeable Image File Format）ファイルとして記録される。画像はExifファイルのデータ部分に記録される。ＣＰＵ１１２は上記Exifファイルのヘッダ部分の所定のタグ（Imagedescriptionタグなど）に撮影日時情報などを記録する。
【００２４】
ＣＰＵ１１２には、キセノン管からなるストロボ１８の発光を制御するストロボ制御回路１１５も接続されており、静止画撮影において、低照度であることが検出された場合や、ストロボボタンによって発光が指示された場合や、強制発光モードが設定された場合にタイミングジェネレータ１２０によって発生されたタイミング信号に同期したタイミングで短時間（例えば１秒以下の短時間）発光するようにストロボ１８を制御する。
【００２５】
モードダイヤル１５０によって動画撮影モードが設定されたときには、レリーズスイッチ２２の全押し操作に連動して動画記録動作がスタートし、もう一度レリーズスイッチ２２を押下すると動画記録動作が停止する。レリーズスイッチ２２を押下継続している期間、録画動作を行い、押下解除によって録画を停止するようにしてもよい。動画データは、例えばモーションＪＰＥＧ（ＭＰＥＧ）形式によって記録媒体４０に記録される。
【００２６】
モードダイヤル１５０により再生モードが選択されると、記録媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のＲＧＢカラー複合映像信号を作成し、これを表示部１１０に出力する。これにより、表示部１１０には記録媒体４０に記録されている最終コマのコマ画像が表示される。
【００２７】
その後、十字キー８１の右キーが押されると、順方向にコマ送りされ、十字キー８１の左キーが押されると、逆方向にコマ送りされる。そして、コマ送りされたコマ位置の画像ファイルが記録媒体４０から読み出され、上記と同様にしてコマ画像が表示部１１０に再生される。尚、最終コマのコマ画像が表示されている状態で順方向にコマ送りされると、記録媒体４０に記録されている１コマ目の画像ファイルが読み出され、１コマ目のコマ画像が表示部１１０に再生される。
【００２８】
表示部１１０は、カメラ１０に内蔵されたＬＣＤ１１４、ファインダー又は映像出力端子等に接続された外部の表示装置に相当する。なお、ＣＰＵ１１２は、ＯＳＤ信号発生回路を含み、ＯＳＤ信号発生回路はシャッター速度や絞り値、撮影可能枚数、撮影日時、警告指示等の文字及びアイコン等の記号を表示するための信号を発生させる。このＯＳＤ信号発生回路から出力される信号は、必要に応じて画像信号に混合されて、ＬＣＤ１１４に供給される。これにより、スルー画像や再生画像に文字やアイコン等が合成された合成画像が表示される。
【００２９】
記録媒体４０は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００３０】
ＣＰＵ１１２は、カメラ１０の各回路を統括制御する制御回路であり、レリーズスイッチ２２、十字キー８１、電源スイッチ８２、モードダイヤル１５０、情報位置指定キー８３あるいは図示しないストロボボタン、ズームキー、メニュー／実行ボタンその他を含む操作部１１３から受信する信号に基づき、対応する回路の動作を制御するとともに、表示部１１０における表示制御、ストロボ発光制御、オートフォーカス（ＡＦ）制御及び自動露出（ＡＥ）制御等を行う。
【００３１】
カメラ１０の電源が電源スイッチ８２でオンされる度に、カメラボディ内部に装着される電池からなる主要電源１６４から、デジタルカメラ１０の各回路に電源が供給される。
【００３２】
画像処理回路１０８からの画像データは、測光処理部１５７にも送られる。この測光処理部１５７は、外光の光量を測定する手段の一例である。測光処理部１５７は、入力される各画像データと、固体撮像素子１０２ａの電荷蓄積時間、すなわち電子シャッタのシャッタ秒時とに基づいて被写体輝度の測光値（ＥＶ値）を算出する測光値算出部により構成できる。これにより、固体撮像素子１０２ａの駆動が調節される。なお、電子シャッタのシャッタ秒時とともに絞り値を変化させてもよい。絞り値を変化させる場合には、絞り値を加味して被写体輝度に応じた測光値を算出する。このように、測光処理部１５７は、固体撮像素子１０２ａを受光センサとしてＴＴＬ（Through The Lens) 測光方式によって被写体の明るさ（被写体輝度）を検出する。測光処理部１５７は、フォトトランジスタで構成された測光センサであってもよく、測光が可能な手段であれば特に限定されない。
【００３３】
カメラ１０の静止画記録動作などの各種動作の制御は、リモートコントローラ（以下、単に「リモコン」という）６０の操作ボタン６２を押圧操作することによって行うことができる。即ち、リモコン６０は発光ダイオードなどで構成される送信部６１を備え、操作ボタン６２を押圧操作に応じて送信部６１からカメラ１０に赤外線信号を出力する。固体撮像素子１０２ａは、可視光の他、リモコン６０の発する赤外線信号も検出可能であり、赤外線の受光素子の代用となる。固体撮像素子１０２ａは、リモコン６０から入射した赤外線信号を画像処理回路１０８へ出力し、画像処理回路１０８のＡ／Ｄ変換部１０８ａは、該赤外線信号をデジタル変換してＣＰＵ１１２に出力する。ＣＰＵ１１２では、画像処理回路１０８から入力したデジタル赤外線信号に応じてデジタルカメラ１０による撮像動作等の各種動作を制御する。このように、リモコン６０から固体撮像素子１０２ａに赤外線信号を送ることで遠隔操作が可能となる。
【００３４】
カメラ１０の本体内には、固体撮像素子１０２ａへ入射する赤外線を遮光する赤外フィルタ（以下、単に「フィルタ」という）２６が配置されている。フィルタ２６は、撮影した画像に悪影響を及ぼす７５０ｎｍ〜９５０ｎｍ程度の赤外光をカットする青ガラス赤外カットフィルタなどで構成される。
【００３５】
図２はフィルタ２６と固体撮像素子１０２ａの位置関係を示す正面図である。固体撮像素子１０２ａの受光面は、撮像レンズ１４のイメージサークル１４ａ（撮像レンズ１４を通った光が結像する円領域）内に配置されている。固体撮像素子１０２ａの受光面上の有効画素領域Ｒ１内のフォトセンサに蓄積された信号電荷が画像信号の生成に用いられ、受光面上の全受光領域から有効画素領域Ｒ１を除いた領域（以下無効領域ともいう）内のフォトセンサに蓄積された信号電荷は画像の生成に用いられない。フィルタ２６は、固体撮像素子１０２ａの有効画素領域Ｒ１に入射する赤外線を遮光する位置（本明細書ではこれを「赤外線の遮蔽位置」という）に配置され、かつ固体撮像素子１０２ａの無効領域の所定の一部分に設けられた赤外線受光領域Ｒ２に入射する赤外線の光路外の位置（本明細書ではこれを「赤外線の非遮蔽位置」という）に配置される。図３では、赤外線受光領域Ｒ２は、有効画素領域Ｒ１の下部に設けられているが、有効画素領域Ｒ１の上部、左右に設けてもよい。
【００３６】
図３はフィルタ２６と固体撮像素子１０２ａの有効画素領域Ｒ１及び赤外線受光領域Ｒ２の位置関係を示す側面図である。この図に示すように、フィルタ２６は、赤外線Ｉｒ１の遮蔽位置に配置され、かつ赤外線Ｉｒ２の非遮蔽位置に配置される。フィルタ２６は、固体撮像素子１０２ａの有効画素領域Ｒ１には赤外線Ｉｒ１が入射しないよう遮光し、かつ固体撮像素子１０２ａの赤外線受光領域Ｒ２に入射する赤外線Ｉｒ２は遮光せず、赤外線Ｉｒ２はそのまま赤外線受光領域Ｒ２に入射する。赤外線受光領域Ｒ２には赤外線が入射するから、リモコン６０からの赤外線信号を赤外線受光領域Ｒ２で検出し、ＣＰＵ１１２に出力できる。一方、有効画素領域Ｒ１には赤外線Ｉｒ１が入射しないため、リモコン６０からの赤外線信号が画像信号の生成に悪影響を及ぼすことがない。
【００３７】
以上説明した通り、本発明のカメラ１０は、フィルタ２６を駆動する機構を設けることなく、簡易な構成で、有効画素領域Ｒ１に赤外線が入射しないようにし、かつ固体撮像素子１０２ａの赤外線受光領域Ｒ２に赤外線が入射する光路を確保できる。
【００３８】
＜第２実施形態＞
図４は本発明の好ましい第２の実施形態に係るデジタルカメラのブロック図である。このカメラ１０にはリモコン受光回路６３が設けられており、このリモコン受光回路６３にはリモコン受光部６４が接続されている。リモコン受光回路６３は、リモコン６０からリモコン受光部６４に入射した赤外線信号をデジタル信号に変換してＣＰＵ１１２へ出力する。ＣＰＵ１１２は、リモコン受光回路６３から入力したデジタル赤外線信号に応じてデジタルカメラ１０による撮像動作等の各種動作を制御する。
【００３９】
図５はフィルタ２６、固体撮像素子１０２ａ及びリモコン受光部６４の位置関係を示す正面図である。第１実施形態と同様、固体撮像素子１０２ａの受光面は、撮像レンズ１４のイメージサークル１４ａ内に配置される。リモコン受光部６４も撮像レンズ１４のイメージサークル１４ａ内に配置される。リモコン受光部６４は、撮像レンズ１４を介して固体撮像素子１０２ａの有効画素領域Ｒ１へ入射する光の光路外の位置（本明細書ではこれを「非干渉位置」という）に配置される。この図では一例として、リモコン受光部６４は、固体撮像素子１０２ａの下部に配置されている。フィルタ２６は、少なくとも固体撮像素子１０２ａの有効画素領域Ｒ１に入射する赤外線の遮光位置に配置され、かつリモコン受光部６４に入射する赤外線の非遮光位置に配置される。
【００４０】
なお、リモコン受光部６４の配置位置は、固体撮像素子１０２ａと干渉しなければ、イメージサークル１４ａ内のどこでもよい。ただし、固体撮像素子１０２ａが横長であるとその上下の空白領域が比較的大きくなるため、イメージサークル１４ａ内における固体撮像素子１０２ａの上下部分に配置する方が構造上単純になる。
【００４１】
また、ズームキー操作に応じて撮像レンズ１４をテレ方向に駆動（ズーム）すれば、遠方のリモコン６０から出力された赤外線信号もイメージサークル１４ａ内に結像できる。このため、リモコン受光部６４は、イメージサークル１４ａ内に配置することが好ましく、リモコン６０の操作可能範囲を広げることができる。
【００４２】
図６はフィルタ２６、固体撮像素子１０２ａ及びリモコン受光部６４の位置関係を示す側面図である。この図に示すように、フィルタ２６は、固体撮像素子１０２ａの有効画素領域Ｒ１には赤外線Ｉｒ１が入射しないよう遮光し、かつリモコン受光部６４に入射する赤外線Ｉｒ２は遮光せず、赤外線Ｉｒ２はそのままリモコン受光部６４に入射する。
【００４３】
本実施形態のカメラ１０では、フィルタ２６を駆動する機構を設ける必要なく、有効画素領域Ｒ１に赤外線が入射しないようにし、かつリモコン受光部６４に赤外線が入射する光路を確保できる。
【００４４】
＜第３実施形態＞
リモコン受光部６４への赤外線入射を誘導する機構をフィルタ２６に設けてもよい。例えば、図７に示すように、フィルタ２６の側端部をテーパ状に形成した反射端２６ａを設ける。反射端２６ａの傾斜角度は例えば略４５°とする。さらに好ましくは、反射端２６ａの表面に、赤外線を良好に反射するフィルム２６ｂなどの反射部材を貼付する。反射端２６ａの表面（フィルム２６ｂが貼付されている場合はフィルム２６ｂの反射面）は、リモコン受光部６４と対向するように配置される。第２実施形態と同様、フィルタ２６は、固体撮像素子１０２ａの有効画素領域Ｒ１に入射する赤外線Ｉｒ１の遮蔽位置に配置され、かつリモコン受光部６４に入射する赤外線Ｉｒ２の非遮蔽位置に配置される。このため、フィルタ２６は、赤外線Ｉｒ１を遮光するが、赤外線Ｉｒ２を遮光しない。ただし、フィルタ２６の反射端２６ａ（フィルム２６ｂが貼付されている場合はフィルム２６ｂの反射面）に入射した赤外線Ｉｒ３はリモコン受光部６４に向かって反射し、リモコン受光部６４に入射する。こうすれば、赤外線Ｉｒ３のように直接リモコン受光部６４へ入射しない赤外線についても、赤外線の反射によってリモコン受光部６４への入射を誘導することができ、リモコン６０の遠隔操作をより確実にできる。
【００４５】
＜第４実施形態＞
第１実施形態のカメラ１０に、第２実施形態のリモコン受光部６４及びリモコン受光回路６３を設け、赤外線受光領域Ｒ２のフォトセンサをリモコン受光部６４に置換する態様も可能である。
【００４６】
なお、本発明は、上記のデジタルカメラ１０以外の各種撮像装置、例えばビデオカメラ、テレビ電話用カメラ、カメラ付き携帯電話機にも適用可能である。
【図面の簡単な説明】
【００４７】
【図１】本発明の好ましい第１の実施形態に係るデジタルカメラのブロック構成図
【図２】第１実施形態に係るカメラにおけるフィルムと固体撮像素子の位置関係を示す正面図
【図３】第１実施形態に係るカメラにおけるフィルムと固体撮像素子の位置関係を示す側面図
【図４】本発明の好ましい第２の実施形態に係るデジタルカメラのブロック構成図
【図５】第２実施形態に係るカメラにおけるフィルムと固体撮像素子の位置関係を示す正面図
【図６】第２実施形態に係るカメラにおけるフィルムと固体撮像素子の位置関係を示す側面図
【図７】第３実施形態に係るカメラにおけるフィルムと固体撮像素子の位置関係を示す側面図
【符号の説明】
【００４８】
２６：フィルタ、４０：記録媒体、１１０：表示部、１１２：ＣＰＵ
【図１】
2006238193.tif 000003
【図２】
2006238193.tif 000004
【図３】
2006238193.tif 000005
【図４】
2006238193.tif 000006
【図５】
2006238193.tif 000007
【図６】
2006238193.tif 000008
【図７】
2006238193.tif 000009